(57)【特許請求の範囲】
【請求項１】
被写体側から近い順に、物体側へ凸面を向けた正パワーの第１レンズ（Ｌ１）、開口絞り（Ｓ１）、像面側へ凸面を向けたメニスカス形状の負パワーの第２レンズ（Ｌ２）、物体側へ凸面を向けたメニスカス形状の正パワーの第３レンズ（Ｌ３）が配置され、かつ、以下の条件式（１）〜（５）を満足することを特徴とする撮像レンズ。
０．８０≦ｆ１／ｆ≦０．８７          （１）
−２．００≦ｆ２／ｆ≦−０．９０      （２）
０．３５≦Ｒ３／Ｒ４≦０．６５        （３）
０．０１≦ｄ２／ｄ３≦０．１５        （４）
０．０８≦ｄ５／ｆ≦０．１８          （５）
但し、
ｆ：レンズ系全体の焦点距離
ｆ１：第１レンズの焦点距離
ｆ２：第１レンズの焦点距離
Ｒ３：第２レンズ物体側面の曲率半径
Ｒ４：第２レンズ像面側の曲率半径
ｄ２：第１レンズの像面側面から開口絞りまでの距離
ｄ３：開口絞りから第２レンズの物体側面までの距離
ｄ５：第２レンズの像面側面から第３レンズの物体側面までの距離
である。
【請求項２】
以下の条件式（６）を満足することを特徴とする請求項１記載の撮像レンズ。
１．１０≦ｆ３／ｆ≦３．５０          （６）
但し、
ｆ：レンズ系全体の焦点距離
ｆ３：第３レンズの焦点距離
である。
【請求項３】
以下の条件式（７）を満足することを特徴とする請求項１記載の撮像レンズ
０．１１≦Ｒ１／Ｒ２≦０．２５        （７）
但し、
Ｒ１：第１レンズ物体側面の曲率半径
Ｒ２：第２レンズ像面側面の曲率半径
である。
【請求項４】
以下の条件式（８）を満足することを特徴とする請求項１記載の撮像レンズ。
３０．００≦ν１−ν２≦４０．００    （８）
但し、
ν１：第１レンズのアッベ数
ν２：第２レンズのアッベ数
である。
【発明の詳細な説明】
【技術分野】
【０００１】
本発明は撮像レンズに関する。特に、高画素用ＣＣＤ、ＣＭＯＳなどの固体撮像素子を使用した小型撮像装置、光センサー、携帯電話用モジュールカメラ、ＷＥＢカメラなどに好適な、小型で良好な光学特性を有する３枚レンズで構成される撮像レンズに関する発明である。
【０００２】
近年、ＣＣＤやＣＭＯＳなどの固体撮像素子を使用した各種撮像装置が広く普及している。これらの撮像素子は小型化により、画素ピッチが１．７５μｍ以下となり、撮像装置に使用される撮像レンズにおいても小型で、撮像光学系の明るさを表すＦｎｏが小さくて明るく、且つ、良好な光学特性、特に、色収差が小さく補正された撮像レンズが求められる。
【０００３】
撮像レンズの小型化に関しては、１枚構成のレンズ系や２枚構成のレンズ系の撮像レンズが提案されている。しかし、これらのレンズ系は、小型化には有利であるが、色収差を小さく補正することは困難で、良好な光学特性を望めないことは良く知られている。
【０００４】
そのため、３枚のレンズ構成により、小型で良好な光学特性を有する撮像レンズに関する技術開発が進められており、この３枚構成の撮像レンズとしては、物体から順に、正パワーを有する第１レンズ、負パワーを有する第２レンズ、正パワーを有する第３レンズで構成したものが種々提案されている。
【０００５】
特許文献１に開示された撮像レンズは、上記、３枚のレンズで構成された撮像レンズで、第１レンズと第２レンズのパワー配分が不十分なために、開示された実施例では、色収差の補正と小型化が不十分であり、且つ、Ｆｎｏ＝３．２５と明るさにおいても不十分であった。
【０００６】
特許文献２に開示された撮像レンズは、上記、３枚のレンズで構成された撮像レンズで、第１レンズと第２レンズのパワー配分が不十分であると共に、第２レンズのアッベ数が５６．２と低分散材料を使用しているために、開示された実施例では、色収差の補正と小型化が不十分であり、且つ、Ｆｎｏ＝２．８と明るさにおいても不十分であった。
【０００７】
【特許文献１】特開２００８−９６８６９号広報
【特許文献２】特許第４３７６９５４号
【発明の概要】
【発明が解決しようとする課題】
【０００８】
本発明の目的は、小型で、Ｆｎｏが小さくて明るく、諸収差が良好に補正された、特に、色収差が小さく補正された３枚のレンズで構成される撮像レンズの提供である。
【課題を解決するための手段】
【０００９】
上記目的を達成するために、レンズ系全体からの第１レンズ及び、第２レンズのパワー配分、第２レンズのメニスカス度合、開口絞りの位置、レンズ系全体の焦点距離と第２レンズ像面側面から第３レンズ物体側面までの距離の比を鋭意検討した結果、従来技術の課題が改善された撮像レンズを得ることを見出し、本発明に到達した。
【００１０】
請求項１記載の撮像レンズは、被写体側から近い順に、物体側へ凸面を向けた正パワーの第１レンズＬ１、開口絞りＳ１、像面側へ凸面を向けたメニスカス形状の負パワーの第２レンズＬ２、物体側へ凸面を向けたメニスカス形状の正パワーの第３レンズＬ３を配置し、以下の条件式（１）〜（５）を満足することを特徴とする。
０．８０≦ｆ１／ｆ≦０．８７          （１）
−２．００≦ｆ２／ｆ≦−０．９０      （２）
０．３５≦Ｒ３／Ｒ４≦０．６５        （３）
０．０１≦ｄ２／ｄ３≦０．１５        （４）
０．０８≦ｄ５／ｆ≦０．１８          （５）
但し、
ｆ：レンズ系全体の焦点距離
ｆ１：第１レンズの焦点距離
ｆ２：第２レンズの焦点距離
Ｒ３：第２レンズ物体側面の曲率半径
Ｒ４：第２レンズ像面側の曲率半径
ｄ２：第１レンズの像面側面から開口絞りまでの距離
ｄ３：開口絞りから第２レンズの物体側面までの距離
ｄ５：第２レンズの像面側面から第３レンズの物体側面までの距離
である。
【００１１】
請求項２記載の撮像レンズは、請求項１記載の撮像レンズに、さらに以下の条件式（６）を満足することを特徴とする。
１．１０≦ｆ３／ｆ≦３．５０          （６）
但し、
ｆ：レンズ系全体の焦点距離
ｆ３：第３レンズの焦点距離
である。
【００１２】
請求項３記載の撮像レンズは、請求項１記載の撮像レンズに、さらに以下の条件式（７）を満足することを特徴とする。
０．１１≦Ｒ１／Ｒ２≦０．２５        （７）
但し、
Ｒ１：第１レンズ物体側面の曲率半径
Ｒ２：第２レンズ像面側面の曲率半径
である。
【００１３】
請求項４記載の撮像レンズは、請求項１記載の撮像レンズに、さらに以下の条件式（８）を満足することを特徴とする。
３０．００≦ν１−ν２≦４０．００    （８）
但し、
ν１：第１レンズのアッベ数
ν２：第２レンズのアッベ数
である。
【発明の効果】
【００１４】
本発明によれば、特に、高画素用ＣＣＤ、ＣＭＯＳなどの個体撮像措置、光センサー、携帯電話用モジュールカメラ、ＷＥＢカメラなどに好適な、小型で、Ｆｎｏが小さくて明るく、諸収差が良好に補正された、特に、色収差が小さく補正された３枚のレンズで構成される撮像レンズの提供である。
【図面の簡単な説明】
【００１５】
【図１】本発明の一実施形態に係る撮像レンズＬＡの構成を示す図
【図２】上記撮像レンズＬＡの具体的実施例１の構成を示す図
【図３】実施例１の撮像レンズＬＡの球面収差（軸上色収差）図
【図４】実施例１の撮像レンズＬＡの倍率色収差図
【図５】実施例１の撮像レンズＬＡの非点収差図及び歪曲収差図
【図６】上記撮像レンズＬＡの具体的実施例２の構成を示す図
【図７】実施例２の撮像レンズＬＡの球面収差（軸上色収差）図
【図８】実施例２の撮像レンズＬＡの倍率色収差図
【図９】実施例２の撮像レンズＬＡの非点収差図及び歪曲収差図
【図１０】上記撮像レンズＬＡの具体的実施例３の構成を示す図
【図１１】実施例３の撮像レンズＬＡの球面収差（軸上色収差）図
【図１２】実施例３の撮像レンズＬＡの倍率色収差図
【図１３】実施例３の撮像レンズＬＡの非点収差図及び歪曲収差図
【図１４】上記撮像レンズＬＡの具体的実施例４の構成を示す図
【図１５】実施例４の撮像レンズＬＡの球面収差（軸上色収差）図
【図１６】実施例４の撮像レンズＬＡの倍率色収差図
【図１７】実施例４の撮像レンズＬＡの非点収差図及び歪曲収差図
【図１８】上記撮像レンズＬＡの具体的実施例５の構成を示す図
【図１９】実施例５の撮像レンズＬＡの球面収差（軸上色収差）図
【図２０】実施例５の撮像レンズＬＡの倍率色収差図
【図２１】実施例５の撮像レンズＬＡの非点収差図及び歪曲収差図
【図２２】上記撮像レンズＬＡの具体的実施例６の構成を示す図
【図２３】実施例６の撮像レンズＬＡの球面収差（軸上色収差）図
【図２４】実施例６の撮像レンズＬＡの倍率色収差図
【図２５】実施例６の撮像レンズＬＡの非点収差図及び歪曲収差図
【図２６】上記撮像レンズＬＡの具体的実施例７の構成を示す図
【図２７】実施例７の撮像レンズＬＡの球面収差（軸上色収差）図
【図２８】実施例７の撮像レンズＬＡの倍率色収差図
【図２９】実施例７の撮像レンズＬＡの非点収差図及び歪曲収差図
【図３０】上記撮像レンズＬＡの具体的実施例８の構成を示す図
【図３１】実施例８の撮像レンズＬＡの球面収差（軸上色収差）図
【図３２】実施例８の撮像レンズＬＡの倍率色収差図
【図３３】実施例８の撮像レンズＬＡの非点収差図及び歪曲収差図
【図３４】上記撮像レンズＬＡの具体的実施例９の構成を示す図
【図３５】実施例９の撮像レンズＬＡの球面収差（軸上色収差）図
【図３６】実施例９の撮像レンズＬＡの倍率色収差図
【図３７】実施例９の撮像レンズＬＡの非点収差図及び歪曲収差図
【発明を実施するための形態】
【００１６】
本発明に係る撮像レンズの一実施形態について、図面を参照しつつ説明する。本発明の一実施形態に係る撮像レンズの構成図を図１に示す。この撮像レンズＬＡは、被写体（物体）側から像面に向かって、第１レンズＬ１、開口絞りＳ１、第２レンズＬ２、第３レンズＬ３が配置された３枚構成のレンズ系である。第３レンズＬ３と像面の間に、ガラス平板ＧＦが配置される。このガラス平板ＧＦとしては、カバーガラス、又は、ＩＲカットフィルタ、又は、ローパスフィルタなどの機能を有するものを使用することができる。又、ガラス平板ＧＦは、第３レンズＬ３と像面との間に配置されなくともよい。
【００１７】
第１レンズＬ１は物体側へ凸面を向けたメニスカス形状の正パワーを有するレンズであり、第２レンズＬ２は像面側へ凸面を向けたメニスカス形状の負パワーを有するレンズであり、第３レンズＬ３は物体側へ凸面を向けたメニスカス形状の正パワーを有するレンズである。これら３枚のレンズの表面は、諸収差をより良好に補正するため、全面を非球面形状とすることが好ましい。
【００１８】
撮像レンズＬＡは、下記の条件式（１）〜（５）を満足している。
０．８０≦ｆ１／ｆ≦０．８７          （１）
−２．００≦ｆ２／ｆ≦−０．９０      （２）
０．３５≦Ｒ３／Ｒ４≦０．６５        （３）
０．０１≦ｄ２／ｄ３≦０．１５        （４）
０．０８≦ｄ５／ｆ≦０．１８          （５）
但し、
ｆ：レンズ系全体の焦点距離
ｆ１：第１レンズＬ１の焦点距離
ｆ２：第２レンズＬ２の焦点距離
Ｒ３：第２レンズＬ２の物体側面の曲率半径
Ｒ４：第２レンズＬ２の像面側の曲率半径
ｄ２：第１レンズＬ１の像面側面から開口絞りまでの距離
ｄ３：開口絞りから第２レンズＬ２の物体側面までの距離
ｄ５：第２レンズＬ２の像面側面から第３レンズＬ３の物体側面までの距離
である。
【００１９】
上記条件式（１）は、第１レンズＬ１の正パワーを規定するものである。条件式（１）の下限を超えると、撮像レンズＬＡの小型化には有利であるが、第１レンズL１の正のパワーが強くなり過ぎ、高次収差による第１レンズＬ１の軸上偏芯等による像面の変動が大きくなり好ましくなく、逆に上限を超えると、第１レンズＬ１の正パワーが弱くなり過ぎ、撮像レンズＬＡの小型化が困難となり好ましくない。
【００２０】
上記条件式（２）は、第２レンズＬ２の負パワーを規定するものである。条件式（２）の下限を超えると、第２レンズＬ２の負パワーが弱くなり過ぎ、軸上、軸外の色収差の補正が困難となり好ましくなく、逆に、上限を超えると、第２レンズＬ２の負パワーが強くなり過ぎ、諸収差の補正が困難となると共に、高次収差による第２レンズＬ２の軸上偏芯等による像面の変動が大きくなり好ましくない。
【００２１】
上記条件式（３）は、第２レンズＬ２のメニスカス度合を規定するものである。条件式（３）の範囲外では、第２レンズＬ２の負パワーを制御することが困難となり、軸上、軸外の色収差の補正が困難となり好ましくない。
【００２２】
上記条件式（４）は、第１レンズＬ１の像面側面から開口絞りＳ１と距離ｄ２と開口絞りＳ１から第２レンズＬ２の物体側面との距離ｄ３の比を規定するものである。条件式（４）の下限を超えると、第１レンズＬ１の像面側面に近づき過ぎて、フレア等の迷光が発生し易くなるために好ましくなく、逆に、上限を超えると、像面に対する主光線入射角が大きくなると共に軸外収差の補正が困難となるために好ましくない。
【００２３】
上記条件式（５）は、レンズ系全体の焦点距離ｆと第２レンズ像面側面から第３レンズ物体側面までの距離ｄ５の比を規定するものである。条件式（５）の下限値を超えると、Ｆｎｏが小さくて明るいレンズ系において、小型化には有利であるが、周辺部の諸収差の補正が困難となり好ましくなく、逆に、上限を超えると小型化が困難となり好ましくない。
【００２４】
第３レンズＬ３は、第１レンズＬ１と共に、撮像レンズＬＡの正パワーを負担している。撮像レンズＬＡの小型化のためには、第１レンズＬ１に強い正パワーが必要となるが、第１レンズＬ１の正パワーが強すぎると高次収差による第１レンズＬ１の軸上偏芯等による像面の変動が大きくなるため好ましくなく、本実施形態では、第１レンズＬ１の正パワーが過剰とならないように、第３レンズＬ３の正パワーを制御している。
【００２５】
撮像レンズＬＡの第３レンズは、下記条件式（６）を満足している。
１．１０≦ｆ３／ｆ≦３．５０          （６）
但し、
ｆ：レンズ系全体の焦点距離
ｆ３：第３レンズＬ３の焦点距離
である。
【００２６】
上記条件式（６）は、第３レンズＬ３の正パワーを規定するものである。条件式（６）の下限を超えると第３レンズＬ３の正パワーが強くなり過ぎ、高次収差による第３レンズＬ３の軸上偏芯等による像面の変動が大きくなり好ましくなく、逆に上限を超えると第３レンズＬ３の正パワーが弱くなり過ぎ、撮像レンズＬＡの小型化が困難となり好ましくない。
【００２７】
撮像レンズＬＡの第１レンズＬ１は、物体側へ凸面を向けたメニスカス形状の正パワーを有するレンズであり、下記条件式（７）を満足している。
０．１１≦Ｒ１／Ｒ２≦０．２５        （７）
但し、
Ｒ１：第１レンズＬ１の物体側面の曲率半径
Ｒ２：第２レンズＬ２の像面側面の曲率半径
である。
【００２８】
条件式（７）は、第１レンズＬ１のメニスカス度合を規定するものである。条件式（７）の下限を超えると第１レンズＬ１の前方主点位置が像面側に近づき、撮像レンズＬＡの小型化が困難となり好ましく、逆に上限を超えると歪曲収差の補正が困難となると共に、高次収差による第１レンズＬ１の軸上偏芯等による像面の変動が大きくなり好ましくない。
【００２９】
撮像レンズＬＡの第１レンズＬ１のアッベ数ν１と第２レンズＬ２のアッベ数ν２が、下記の条件式を満足している。
３０．００≦ν１−ν２≦４０．００    （８）
但し、
ν１：第１レンズのアッベ数
ν２：第２レンズのアッベ数
である。
【００３０】
条件式（８）は、第１レンズＬ１のアッベ数ν１と第２レンズＬ２のアッベ数ν２の比を規定するものである。条件式（８）の範囲外では、撮像レンズＬＡの軸上色収差、軸外色収差の補正が困難となり好ましくない。
【００３１】
撮像レンズＬＡを構成する３枚のレンズが、それぞれ前記の構成および条件式を満たすことにより、小型で、Ｆｎｏが小さくて明るく、諸収差が良好に補正された、特に、色収差が小さく補正された３枚のレンズで構成される撮像レンズを得ることが可能となる。
【００３２】
第１レンズＬ１〜第３レンズＬ３はガラスあるいは樹脂のいずれかの材料で形成される。レンズ材料としてガラスを使用する場合は、ガラス転移温度が、４００℃以下のガラス材料を使用することが好ましい。これにより、金型の耐久性を向上させることが可能となる。
【００３３】
樹脂材料は複雑な面形状のレンズを効率よく製造することが可能であり、生産性の面から、ガラス材料より好ましい材料である。レンズ材料として使用される場合、ＡＳＴＭ  Ｄ５４２法に準じて測定されたｄ線の屈折率が１．５００〜１．６７０の範囲にありかつ、波長４５０ｎｍ〜６００ｎｍの範囲での光線透過率が８０％以上、より好ましくは８５％以上の樹脂材料であれば、熱可塑性樹脂であっても熱硬化性材料であっても使用可能である。第１レンズＬ１、第３レンズＬ３は同一材料であっても良く、異なる材料であってもよい。第２レンズＬ２は、通常、第１レンズＬ１と異なる材料が使用される。樹脂材料の製造方法は、射出成形、圧縮成形、注型成形、トランスファー成形などの公知の成形加工法により行うことができる。
【００３４】
なお、樹脂材料は温度変化により屈折率が変動することは良く知られている。この変動を抑えるため、平均粒子径１００ｎｍ以下、より好ましくは５０ｎｍ以下のシリカ、酸化ニオブ、酸化チタン、酸化アルミなどの微粒子が混合分散された前記の透明性を有する樹脂材料をレンズ材料として使用することができる。
【００３５】
樹脂で形成された第１レンズＬ１〜第３レンズＬ３はレンズ外周部にコバ及びリブを設けることができる。コバ及びリブ形状は、レンズの性能を損なわなければ、特に制約は無い。レンズの成形加工性の面から、コバの厚さはレンズ外周部の厚さの７０〜１３０％の範囲内にあることが好ましい。レンズ外周部にコバを設けた場合、コバ部に入射すると、ゴーストやフレアの原因となることがある。その場合は、必要に応じて、レンズ間に入射光を制限する射光マスクを設けることができる。
【００３６】
撮像レンズＬＡは、撮像モジュールなどに使用される前に、第１レンズＬ１〜第３レンズＬ３のそれぞれのレンズの物体側及び像面側のレンズ表面に、反射防止膜、ＩＲカット膜や表面硬化などの公知の処理を施しても良い。本発明の撮像レンズＬＡを使用した撮像モジュールは、携帯電話用モジュールカメラ、ＷＥＢカメラ、パソコン、デジタルカメラ、自動車や各種産業機器の光センサー、モニターに使用される。
【００３７】
以下に、本発明の撮像レンズＬＡについて、実施例を用いて説明する。各実施例に記載されている記号は以下のことを示す。なお、距離、半径及び中心厚の単位はｍｍである。
ｆ      ：撮像レンズＬＡ全体の焦点距離
ｆ１    ：第１レンズＬ１の焦点距離
ｆ２    ：第２レンズＬ２の焦点距離
ｆ３    ：第３レンズＬ３の焦点距離
Ｆｎｏ  ：Ｆナンバー
２ω    ：全画角
Ｒ      ：光学面の曲率半径、レンズの場合は中心曲率半径
Ｒ１    ：第１レンズＬ１の物体側面の曲率半径
Ｒ２    ：第１レンズＬ１の像面側面の曲率半径
Ｓ１    ：開口絞り
Ｒ３    ：第２レンズＬ２の物体側面の曲率半径
Ｒ４    ：第２レンズＬ２の像面側面の曲率半径
Ｒ５    ：第３レンズＬ３の物体側面の曲率半径
Ｒ６    ：第３レンズＬ３の像面側面の曲率半径
Ｒ７    ：ガラス平板ＧＦの物体側面の曲率半径
Ｒ８    ：ガラス平板ＧＦの像面側面の曲率半径
ｄ      ：レンズの中心厚、又は、レンズ間距離
ｄ１    ：第１レンズＬ１の中心厚
ｄ２    ：第１レンズＬ１の像面側面から開口絞りＳ１までの距離
ｄ３    ：開口絞りＳ１から第２レンズＬ２の物体側面までの距離
ｄ４    ：第２レンズＬ２の中心厚
ｄ５    ：第２レンズＬ２の像面側面から第３レンズＬ３の物体側面までの距離
ｄ６    ：第３レンズＬ３の中心厚
ｄ７    ：第３レンズＬ３の像面側面からガラス平板ＧＦの物体側面までの物体側面までの距離
ｄ８    ：ガラス平板ＧＦの中心厚
ｄ９  ：ガラス平板ＧＦの像面側面から像面までの距離
ｎｄ    ：ｄ線の屈折率
ｎ１    ：第１レンズＬ１のｄ線の屈折率
ｎ２    ：第２レンズＬ２のｄ線の屈折率
ｎ３    ：第３レンズＬ３のｄ線の屈折率
ｎ４    ：ガラス平板ＧＦのｄ線の屈折率
νｄ    ：ｄ線のアッベ数
ν１    ：第１レンズＬ１のアッベ数
ν２    ：第２レンズＬ２のアッベ数
ν３    ：第３レンズＬ３のアッベ数
ν４    ：ガラス平板ＧＦのアッベ数
ＴＴＬ  ：第１レンズＬ１の物体側面から像面までの距離（光学長）
ＬＢ    ：第３レンズＬ３の像面側面から像面までの距離（ガラス平板ＧＦの厚みを含む）
ＩＨ    ：像高
【００３８】
撮像レンズＬＡの第１レンズＬ１〜第３レンズＬ３のそれぞれのレンズ面の非球面形状は、ｙを光の進行方向を正とした光軸に、ｘを光軸と直交する方向とした軸として、下記の非球面多項式で表される。
【００３９】
ｙ＝（ｘ２／Ｒ）／［１＋｛１−（Ｋ＋１）（ｘ２／Ｒ２）｝１／２］
＋Ａ４ｘ４＋Ａ６ｘ６＋Ａ８ｘ８＋Ａ１０ｘ１０＋Ａ１２ｘ１２    （９）
【００４０】
但し、Ｒは光軸上の曲率半径、ｋは円錐係数、Ａ４、Ａ６、Ａ８、Ａ１０、Ａ１２は非球面係数である。
【００４１】
各レンズ面の非球面は、便宜上、式（９）で表される非球面を使用している。しかしながら、特に、この式（９）の非球面多項式に限定するものではない。
【００４２】
（実施例１）
図２は、実施例１の撮像レンズＬＡの配置を示す構成図である。実施例１の撮像レンズＬＡを構成する第１レンズＬ１〜第３レンズＬ３のそれぞれの物体側及び像面側の曲率半径Ｒ、レンズ中心厚又はレンズ間距離ｄ、屈折率ｎｄ、アッベ数νｄを表１に、円錐係数ｋ、非球面係数を表２に示す。
【００４３】
【表１】
0004792542.tif 000002
【００４４】
【表２】
0004792542.tif 000003
【００４５】
実施例１では、表１９に示すように、条件式（１）〜（８）を満足する。
【００４６】
実施例１の撮像レンズＬＡの球面収差（軸上色収差）を図３に、倍率色収差を図４に、非点収差及び歪曲収差を図５に示す。以上の結果より、実施例１の撮像レンズＬＡは、ＴＴＬ＝３．２０１ｍｍと小型で、且つ、Ｆｎｏ＝２．４と明るく、図３〜５に示すように、良好な光学特性を有し、特に、軸上、軸外の色収差が小さく補正されていることがわかる。又、図５の非点収差のＳはサジタル像面に対する収差、Ｔはタンジェンシャル像面に対する収差であり、実施例２〜９においても同様である。
【００４７】
（実施例２）
図６は、実施例２の撮像レンズＬＡの配置を示す構成図である。実施例２の撮像レンズＬＡを構成する第１レンズＬ１〜第３レンズＬ３のそれぞれの物体側及び像面側の曲率半径Ｒ、レンズ中心厚又はレンズ間距離ｄ、屈折率ｎｄ、アッベ数νｄを表３に、円錐係数ｋ、非球面係数を表４に示す。
【００４８】
【表３】
0004792542.tif 000004
【００４９】
【表４】
0004792542.tif 000005
【００５０】
実施例２では、表１９に示すように、条件式（１）〜（８）を満足する。
【００５１】
実施例２の撮像レンズＬＡの球面収差（軸上色収差）を図７に、倍率色収差を図８に、非点収差及び歪曲収差を図９に示す。以上の結果より、実施例２の撮像レンズＬＡは、ＴＴＬ＝３．１８５ｍｍと小型で、且つ、Ｆｎｏ＝２．４と明るく、図７〜９に示すように、良好な光学特性を有し、特に、軸上、軸外の色収差が小さく補正されていることがわかる。
【００５２】
（実施例３）
図１０は、実施例３の撮像レンズＬＡの配置を示す構成図である。実施例３の撮像レンズＬＡを構成する第１レンズＬ１〜第３レンズＬ３のそれぞれの物体側及び像面側の曲率半径Ｒ、レンズ中心厚又はレンズ間距離ｄ、屈折率ｎｄ、アッベ数νｄを表５に、円錐係数ｋ、非球面係数を表６に示す。
【００５３】
【表５】
0004792542.tif 000006
【００５４】
【表６】
0004792542.tif 000007
【００５５】
実施例３では、表１９に示すように、条件式（１）〜（８）を満足する。
【００５６】
実施例３の撮像レンズＬＡの球面収差（軸上色収差）を図１１に、倍率色収差を図１２に、非点収差及び歪曲収差を図１３に示す。以上の結果より、実施例３の撮像レンズＬＡは、ＴＴＬ＝３．１７８ｍｍと小型で、且つ、Ｆｎｏ＝２．４と明るく、図１１〜１３に示すように、良好な光学特性を有し、特に、軸上、軸外の色収差が小さく補正されていることがわかる。
【００５７】
（実施例４）
図１４は、実施例４の撮像レンズＬＡの配置を示す構成図である。実施例４の撮像レンズＬＡを構成する第１レンズＬ１〜第３レンズＬ３のそれぞれの物体側及び像面側の曲率半径Ｒ、レンズ中心厚又はレンズ間距離ｄ、屈折率ｎｄ、アッベ数νｄを表７に、円錐係数ｋ、非球面係数を表８に示す。
【００５８】
【表７】
0004792542.tif 000008
【００５９】
【表８】
0004792542.tif 000009
【００６０】
実施例４では、表１９に示すように、条件式（１）〜（８）を満足する。
【００６１】
実施例４の撮像レンズＬＡの球面収差（軸上色収差）を図１５に、倍率色収差を図１６に、非点収差及び歪曲収差を図１７に示す。以上の結果より、実施例４の撮像レンズＬＡは、ＴＴＬ＝３．３５０ｍｍと小型で、且つ、Ｆｎｏ＝２．４と明るく、図１５〜１７に示すように、良好な光学特性を有し、特に、軸上、軸外の色収差が小さく補正されていることがわかる。
【００６２】
（実施例５）
図１８は、実施例５の撮像レンズＬＡの配置を示す構成図である。実施例５の撮像レンズＬＡを構成する第１レンズＬ１〜第３レンズＬ３のそれぞれの物体側及び像面側の曲率半径Ｒ、レンズ中心厚又はレンズ間距離ｄ、屈折率ｎｄ、アッベ数νｄを表９に、円錐係数ｋ、非球面係数を表１０に示す。
【００６３】
【表９】
0004792542.tif 000010
【００６４】
【表１０】
0004792542.tif 000011
【００６５】
実施例５では、表１９に示すように、条件式（１）〜（８）を満足する。
【００６６】
実施例５の撮像レンズＬＡの球面収差（軸上色収差）を図１９に、倍率色収差を図２０に、非点収差及び歪曲収差を図２１に示す。以上の結果より、実施例５の撮像レンズＬＡは、ＴＴＬ＝３．２９９ｍｍと小型で、且つ、Ｆｎｏ＝２．４と明るく、図１９〜２１に示すように、良好な光学特性を有し、特に、軸上、軸外の色収差が小さく補正されていることがわかる。
【００６７】
（実施例６）
図２２は、実施例６の撮像レンズＬＡの配置を示す構成図である。実施例６の撮像レンズＬＡを構成する第１レンズＬ１〜第３レンズＬ３のそれぞれの物体側及び像面側の曲率半径Ｒ、レンズ中心厚又はレンズ間距離ｄ、屈折率ｎｄ、アッベ数νｄを表１１に、円錐係数ｋ、非球面係数を表１２に示す。
【００６８】
【表１１】
0004792542.tif 000012
【００６９】
【表１２】
0004792542.tif 000013
【００７０】
実施例６では、表１９に示すように、条件式（１）〜（８）を満足する。
【００７１】
実施例６の撮像レンズＬＡの球面収差（軸上色収差）を図２３に、倍率色収差を図２４に、非点収差及び歪曲収差を図２５に示す。以上の結果より、実施例６の撮像レンズＬＡは、ＴＴＬ＝３．１１８ｍｍと小型で、且つ、Ｆｎｏ＝２．４と明るく、図２３〜２５に示すように、良好な光学特性を有し、特に、軸上、軸外の色収差が小さく補正されていることがわかる。
【００７２】
（実施例７）
図２６は、実施例７の撮像レンズＬＡの配置を示す構成図である。実施例７の撮像レンズＬＡを構成する第１レンズＬ１〜第３レンズＬ３のそれぞれの物体側及び像面側の曲率半径Ｒ、レンズ中心厚又はレンズ間距離ｄ、屈折率ｎｄ、アッベ数νｄを表１３に、円錐係数ｋ、非球面係数を表１４に示す。
【００７３】
【表１３】
0004792542.tif 000014
【００７４】
【表１４】
0004792542.tif 000015
【００７５】
実施例７では、表１９に示すように、条件式（１）〜（８）を満足する。
【００７６】
実施例７の撮像レンズＬＡの球面収差（軸上色収差）を図２７に、倍率色収差を図２８に、非点収差及び歪曲収差を図２９に示す。以上の結果より、実施例７の撮像レンズＬＡは、ＴＴＬ＝３．１５３ｍｍと小型で、且つ、Ｆｎｏ＝２．４と明るく、図２７〜２９に示すように、良好な光学特性を有し、特に、軸上、軸外の色収差が小さく補正されていることがわかる。
【００７７】
（実施例８）
図３０は、実施例８の撮像レンズＬＡの配置を示す構成図である。実施例８の撮像レンズＬＡを構成する第１レンズＬ１〜第３レンズＬ３のそれぞれの物体側及び像面側の曲率半径Ｒ、レンズ中心厚又はレンズ間距離ｄ、屈折率ｎｄ、アッベ数νｄを表１５に、円錐係数ｋ、非球面係数を表１６に示す。
【００７８】
【表１５】
0004792542.tif 000016
【００７９】
【表１６】
0004792542.tif 000017
【００８０】
実施例８では、表１９に示すように、条件式（１）〜（８）を満足する。
【００８１】
実施例８の撮像レンズＬＡの球面収差（軸上色収差）を図３１に、倍率色収差を図３２に、非点収差及び歪曲収差を図３３に示す。以上の結果より、実施例８の撮像レンズＬＡは、ＴＴＬ＝３．２０８ｍｍと小型で、且つ、Ｆｎｏ＝２．４と明るく、図３１〜３３に示すように、良好な光学特性を有し、特に、軸上、軸外の色収差が小さく補正されていることがわかる。
【００８２】
（実施例９）
図３４は、実施例９の撮像レンズＬＡの配置を示す構成図である。実施例９の撮像レンズＬＡを構成する第１レンズＬ１〜第３レンズＬ３のそれぞれの物体側及び像面側の曲率半径Ｒ、レンズ中心厚又はレンズ間距離ｄ、屈折率ｎｄ、アッベ数νｄを表１７に、円錐係数ｋ、非球面係数を表１８に示す。
【００８３】
【表１７】
0004792542.tif 000018
【００８４】
【表１８】
0004792542.tif 000019
【００８５】
実施例９では、表１９に示すように、条件式（１）〜（８）を満足する。
【００８６】
実施例９の撮像レンズＬＡの球面収差（軸上色収差）を図３５に、倍率色収差を図３６に、非点収差及び歪曲収差を図３７に示す。以上の結果より、実施例９の撮像レンズＬＡは、ＴＴＬ＝３．３４７ｍｍと小型で、且つ、Ｆｎｏ＝２．４と明るく、図３５〜３７に示すように、良好な光学特性を有し、特に、軸上、軸外の色収差が小さく補正されていることがわかる。
【００８７】
表１９に各数値実施例の諸値及び条件式（１）〜（８）で規定したパラメータに対応する値を示す。尚、表１９に示す諸値単位は、ｆ（ｍｍ）、ｆ１（ｍｍ）、ｆ２（ｍｍ）、ｆ３（ｍｍ）、２ω（°）、ＴＴＬ（ｍｍ）、ＬＢ（ｍｍ）、ＩＨ（ｍｍ）である。
【００８８】
【表１９】
0004792542.tif 000020
【符号の説明】
【００８９】
ＬＡ    ：撮像レンズ
Ｌ１    ：第１レンズ
Ｌ２    ：第２レンズ
Ｌ３    ：第３レンズ
ＧＦ    ：ガラス平板
Ｒ１    ：第１レンズＬ１の物体側面の曲率半径
Ｒ２    ：第１レンズＬ１の像面側面の曲率半径
Ｓ１    ：開口絞り
Ｒ３    ：第２レンズＬ２の物体側面の曲率半径
Ｒ４    ：第２レンズＬ２の像面側面の曲率半径
Ｒ５    ：第３レンズＬ３の物体側面の曲率半径
Ｒ６    ：第３レンズＬ３の像面側面の曲率半径
Ｒ７    ：ガラス平板ＧＦの物体側面の曲率半径
Ｒ８    ：ガラス平板ＧＦの像面側面の曲率半径
ｄ      ：レンズの中心厚、又は、レンズ間距離
ｄ１    ：第１レンズＬ１の中心厚
ｄ２    ：第１レンズＬ１の像面側面から開口絞りＳ１までの距離
ｄ３    ：開口絞りＳ１から第２レンズＬ２の物体側面までの距離
ｄ４    ：第２レンズＬ２の中心厚
ｄ５    ：第２レンズＬ２の像面側面から第３レンズＬ３の物体側面までの距離
ｄ６    ：第３レンズＬ３の中心厚
ｄ７    ：第３レンズＬ３の像面側面からガラス平板ＧＦの物体側面までの物体側面までの距離
ｄ８    ：ガラス平板ＧＦの中心厚
ｄ９  ：ガラス平板ＧＦの像面側面から像面までの距離
【要約】      （修正有）【課題】小型で、明るく、特に、色収差が小さく補正された３枚のレンズで構成される撮像レンズを提供する。【解決手段】撮像レンズＬＡは、被写体から近い順に、物体側へ凸面を向けた正パワーの第１レンズＬ１、絞りＳ１、像面側へ凸面を向けたメニスカス形状の負パワーの第２レンズＬ２、物体側へ凸面を向けたメニスカス形状の正パワーの第３レンズＬ３を配置し、次式を満足する。０．８≦ｆ１／ｆ≦０．８７、−２．０≦ｆ２／ｆ≦−０．９、０．３５≦Ｒ３／Ｒ４≦０．６５、０．０１≦ｄ２／ｄ３≦０．１５、０．０８≦ｄ５／ｆ≦０．１８。但し、ｆ，ｆ１，ｆ２は全体の，第１，第２レンズの焦点距離を、Ｒ３，Ｒ４は第２レンズ物体側面の，第２レンズ像面側の曲率半径を、ｄ２，ｄ３，ｄ５は第１レンズの像面側面から絞りまでの、絞りから第２レンズの物体側面までの，第２レンズの像面側面から第３レンズの物体側面までの距離を、それぞれ示す。【選択図】図１【図１】
0004792542.tif 000021
【図２】
0004792542.tif 000022
【図３】
0004792542.tif 000023
【図４】
0004792542.tif 000024
【図５】
0004792542.tif 000025
【図６】
0004792542.tif 000026
【図７】
0004792542.tif 000027
【図８】
0004792542.tif 000028
【図９】
0004792542.tif 000029
【図１０】
0004792542.tif 000030
【図１１】
0004792542.tif 000031
【図１２】
0004792542.tif 000032
【図１３】
0004792542.tif 000033
【図１４】
0004792542.tif 000034
【図１５】
0004792542.tif 000035
【図１６】
0004792542.tif 000036
【図１７】
0004792542.tif 000037
【図１８】
0004792542.tif 000038
【図１９】
0004792542.tif 000039
【図２０】
0004792542.tif 000040
【図２１】
0004792542.tif 000041
【図２２】
0004792542.tif 000042
【図２３】
0004792542.tif 000043
【図２４】
0004792542.tif 000044
【図２５】
0004792542.tif 000045
【図２６】
0004792542.tif 000046
【図２７】
0004792542.tif 000047
【図２８】
0004792542.tif 000048
【図２９】
0004792542.tif 000049
【図３０】
0004792542.tif 000050
【図３１】
0004792542.tif 000051
【図３２】
0004792542.tif 000052
【図３３】
0004792542.tif 000053
【図３４】
0004792542.tif 000054
【図３５】
0004792542.tif 000055
【図３６】
0004792542.tif 000056
【図３７】
0004792542.tif 000057